(57)【特許請求の範囲】
【請求項１】
リング状をなす時計用ケースと、
前記時計用ケースの裏側に装着される裏蓋と、
前記時計用ケースの内周部の周方向に沿ったリング状をなし、前記裏蓋を前記時計用ケースに対して固定する固定機能を有する固定部材とを備え、
前記時計用ケースは、前記固定部材よりも硬質のものであり、
前記固定部材は、前記時計用ケースと前記裏蓋との間に配置され、前記時計用ケースと前記裏蓋との間で圧縮されて変形することにより、前記固定機能を発揮し、
前記裏蓋には、前記固定部材が圧縮されて変形した際に該固定部材の一部が入り込む凹部が形成されていることを特徴とする時計。
【請求項２】
前記裏蓋は、表側の面に突出形成された突部を有し、
前記固定部材は、前記時計用ケースの内周部と前記突部との間で圧縮されて変形する請求項１に記載の時計。
【請求項３】
前記固定部材は、予め前記時計用ケースの内周部に固定されており、
前記固定部材および前記突部のうちの少なくとも一方は、前記裏蓋が前記時計用ケースに装着される際に前記突部を前記固定部材の内周部へ導くガイド部を有する請求項２に記載の時計。
【請求項４】
前記突部は、前記裏蓋の縁部に沿ったリング状をなす部分である請求項２または３に記載の時計。
【請求項５】
前記時計用ケースは、前記時計用ケースの内周部に内径が拡径した拡径部で構成され、前記固定部材が設置される固定部材設置部を有する請求項１ないし４のいずれかに記載の時計。
【請求項６】
前記凹部が表側の面側に開口している請求項１ないし５のいずれかに記載の時計。
【請求項７】
前記時計用ケースは、セラミックスまたは金属材料で構成され、
前記固定部材は、樹脂材料で構成されている請求項１ないし６のいずれかに記載の時計。
【請求項８】
前記裏蓋は、互いに別体で構成された複数の部材で構成され、該部材同士を接合してなるものである請求項１ないし７のいずれかに記載の時計。
【発明の詳細な説明】
【技術分野】
【０００１】
本発明は、時計に関する。
【背景技術】
【０００２】
従来の腕時計としては、リング状をなすケースと、ケースの裏側に装着される裏蓋とを備えるものが知られている（例えば、特許文献１参照）。この特許文献１に記載の腕時計では、裏蓋は、ケースに対してボルト（ネジ）を介して固定されている。このように当該腕時計を製造する際には、裏蓋とケースとをボルトを用いてネジ止めをしなくてはならず、その製造作業に手間が掛かったり、作業中にボルトが緩んでしまうという問題があった。
【０００３】
また、特許文献１に記載の腕時計では、ケースの構成材料として、金属材料やセラミックスが用いられている。構成材料として金属材料を用いた場合には、ケースに直に（直接）、ボルトの雄ネジが螺合する雌ネジを形成することができるが、セラミックスを用いた場合には、ケースに直に雌ネジを形成するのが困難である。このため、内周部に雌ネジが形成された金属管をケースに埋設して、当該金属管の雌ネジとボルトの雄ネジをと螺合させることが行われる。このような金属管を用いると、その分だけ部品点数が増大したり、金属管を埋設するための工程が増えてしまう等の製造上の問題が生じる。
【先行技術文献】
【特許文献】
【０００４】
【特許文献１】特開２０１０−１２７７６５号公報
【発明の概要】
【発明が解決しようとする課題】
【０００５】
本発明の目的は、製造が容易な時計を提供することにある。
【課題を解決するための手段】
【０００６】
このような目的は、下記の本発明により達成される。
本発明の時計は、リング状をなす時計用ケースと、
前記時計用ケースの裏側に装着される裏蓋と、
前記時計用ケースの内周部の周方向に沿ったリング状をなし、前記裏蓋を前記時計用ケースに対して固定する固定機能を有する固定部材とを備え、
前記時計用ケースは、前記固定部材よりも硬質のものであり、
前記固定部材は、前記時計用ケースと前記裏蓋との間に配置され、前記時計用ケースと前記裏蓋との間で圧縮されて変形することにより、前記固定機能を発揮し、
前記裏蓋には、前記固定部材が圧縮されて変形した際に該固定部材の一部が入り込む凹部が形成されていることを特徴とする。
【０００７】
これにより、圧縮されて変形した固定部材には、元の形状に戻ろうとする反力が生じる。この反力により、時計用ケースと裏蓋とを固定するための固定力が増加して、裏蓋が時計用ケースに対して確実に固定される。このように、時計では、時計用ケースと裏蓋との間で固定部材を圧縮、変形させるという簡単な構成で、時計用ケースに裏蓋を容易かつ確実に装着することができる。従って、時計は、製造が容易なものであるということができる。
【０００８】
本発明の時計では、前記裏蓋は、表側の面に突出形成された突部を有し、
前記固定部材は、前記時計用ケースの内周部と前記突部との間で圧縮されて変形することが好ましい。
これにより、時計用ケースの内周部と突部との間で固定部材をその厚さ方向に確実に圧縮、変形させることができ、よって、当該固定部材の固定機能をより確実に発揮することができる。
【０００９】
本発明の時計では、前記固定部材は、予め前記時計用ケースの内周部に固定されており、
前記固定部材および前記突部のうちの少なくとも一方は、前記裏蓋が前記時計用ケースに装着される際に前記突部を前記固定部材の内周部へ導くガイド部を有することが好ましい。
これにより、時計の組み立て製造時において裏蓋をケースに装着する際に、突部がケースの内周部との間で固定部材を圧縮することができるような位置に裏蓋を確実に導くことができるとともに、その装着作業を容易に行なうことができる。
【００１０】
本発明の時計では、前記突部は、前記裏蓋の縁部に沿ったリング状をなす部分であることが好ましい。
これにより、突部が時計用ケースの内周部との間で固定部材の全体をその厚さ方向に確実に圧縮、変形させることができ、よって、当該固定部材の固定機能をより確実に発揮することができる。
【００１１】
本発明の時計では、前記時計用ケースは、前記時計用ケースの内周部に内径が拡径した拡径部で構成され、前記固定部材が設置される固定部材設置部を有することが好ましい。
これにより、例えば固定部材設置部の内径を固定部材の外径とほぼ同等に設定した場合、固定部材は、固定部材設置部に嵌合することとなり、よって、固定部材設置部に確実に固定され、固定部材設置部からの離脱が確実に防止される。
【００１２】
本発明の時計では、前記凹部が表側の面側に開口していることが好ましい。
これにより、固定部材が圧縮されて変形した際に、当該固定部材が過剰に変形するのを防止することができる。また、固定部材による時計用ケースと固定部材との固定力の増加を抑制したい、すなわち、固定力を緩和したい場合にも有効な構成である。
【００１３】
本発明の時計では、前記時計用ケースは、セラミックスまたは金属材料で構成され、
前記固定部材は、樹脂材料で構成されていることが好ましい。
これにより、時計用ケースが例えばセラミックスで構成されたものである場合、当該時計用ケースは、美的外観、強度等に優れたものとなる。また、固定部材に樹脂材料を用いることにより、当該固定部材は、ケースと裏蓋との間で圧縮された場合変形するが、このとき元の形状に戻ろうとする反力が確実に生じて、固定機能を発揮することができる。
【００１４】
本発明の時計では、前記裏蓋は、互いに別体で構成された複数の部材で構成され、該部材同士を接合してなるものであることが好ましい。
例えば、時計がＧＰＳ衛星からのＧＰＳ測位電波を受信するアンテナを有する電子時計の場合、裏蓋に渦電流が生じることとなる。渦電流は、それが生じる部材の体積の大きさに応じて変化する、すなわち、大となったり小となったりする特性がある。このため、渦電流が生じる部材の大きさは、できる限り小さいのが好ましい。そこで、裏蓋を互いに別体で構成された複数の部材同士を接合してなるものすることにより、裏蓋の複数箇所で、すなわち、各部材でそれぞれ渦電流が生じたとしても、各渦電流の大きさを比較的小さく抑えることができる。
本発明によれば、製造が容易な時計となる。
【図面の簡単な説明】
【００１５】
【図１】本発明の時計を腕時計に適用した場合の第１実施形態を示す斜視図である。
【図２】図１に示す腕時計において裏蓋が固定部材を介して時計用ケースに固定されるまでの過程を順に示す断面図である。
【図３】図１に示す腕時計において裏蓋が固定部材を介して時計用ケースに固定されるまでの過程を順に示す断面図である。
【図４】図１に示す腕時計において裏蓋が固定部材を介して時計用ケースに固定されるまでの過程を順に示す断面図である。
【図５】図２中の一点鎖線で囲まれた領域［Ａ］の拡大図である。
【図６】図３中の一点鎖線で囲まれた領域［Ｂ］の拡大図である。
【図７】図４中の一点鎖線で囲まれた領域［Ｃ］の拡大図である。
【図８】本発明の時計を腕時計に適用した場合の第２実施形態において裏蓋が固定部材を介して時計用ケースに固定されるまでの過程を順に示す断面図である。
【図９】本発明の時計を腕時計に適用した場合の第２実施形態において裏蓋が固定部材を介して時計用ケースに固定されるまでの過程を順に示す断面図である。
【図１０】本発明の時計を腕時計に適用した場合の第３実施形態を示す断面図である。
【発明を実施するための形態】
【００１６】
以下、本発明の時計を添付図面に示す好適な実施形態に基づいて詳細に説明する。
＜第１実施形態＞
図１は、本発明の時計を腕時計に適用した場合の第１実施形態を示す斜視図、図２〜図４は、それぞれ、図１に示す腕時計において裏蓋が固定部材を介して時計用ケースに固定されるまでの過程を順に示す断面図、図５は、図２中の一点鎖線で囲まれた領域［Ａ］の拡大図、図６は、図３中の一点鎖線で囲まれた領域［Ｂ］の拡大図、図７は、図４中の一点鎖線で囲まれた領域［Ｃ］の拡大図である。なお、以下では、説明の都合上、図１〜図７中（図８〜図１０についても同様）の上側を「上」、「上方」または「表」、下側を「下」、「下方」または「裏」と言う。
【００１７】
図１に示す腕時計（以下、単に「時計」という）１は、ケース（時計用ケース）２と、裏蓋３と、ベゼル７と、カバーガラス（風防）５と、バンド２０とを備えている。また、図２〜図４に示すように、時計１の内部空間５０（ケース２と裏蓋３とベゼル７とカバーガラス５とで囲まれた空間）には、カバーガラス５が設けられた側から順に、文字板６と、太陽電池７０と、ムーブメント９とが収納されている。また、ムーブメント９には、指針（針）１０である、時針１０１、分針１０２、秒針１０３が回転可能に支持されている。また、指針１０には、時針１０１、分針１０２、秒針１０３の他に、２４時間針（小針）１０４と、曜日針（小針）１０５とがあり、２４時間針１０４、曜日針１０５もムーブメント９に回転可能に支持されている。指針１０は、ムーブメント９とともに時計１の内部空間５０内に収納されている。以下、各部の構成について説明する。
【００１８】
図１〜図４に示すように、ケース２は、円環状（リング状）なす部材で構成されている。このケース２の表側の部分に、ベゼル７が装着、固定されている。裏側の部分に、裏蓋３が装着、固定される。
ケース２の外周部２３には、巻真パイプ（図示せず）が嵌入され、この巻真パイプにりゅうず１２が回転可能に設けられている。りゅうず１２を回転操作することにより、そのトルクがムーブメント９に伝わる。これにより、指針１０が回転駆動し、よって、表示する時刻を調整することができる。
【００１９】
また、ケース２の外周部２３には、その中心軸を介して両側に、バンド２０が連結される連結部としてのラグ２４が設けられている。バンド２０は、時計１を腕に装着する際に用いられるものである。
図２〜図４に示すように、ケース２の内周部２５には、その内径が拡径した第１の拡径部２６および第２の拡径部（拡径部）２７が形成されている。
【００２０】
第１の拡径部２６は、内周部２５の上側の部分に形成されている。この第１の拡径部２６は、後述するベゼル７のリブ７１が挿入される挿入部となる。
第２の拡径部２７は、内周部２５の下側の部分に形成されている。この第２の拡径部２７は、後述する固定部材４が設置される固定部材設置部となる。
ケース２、裏蓋３、ベゼル７、指針１０の構成材料としては、特に限定されず、例えば、ステンレス鋼や、チタンまたはチタン合金等のような各種金属材料（合金を含む）を用いることができる。また、ケース２の構成材料としては、前記各種金属材料の他に、セラミックスも用いることができる。セラミックスで構成されたケース２は、美的外観、強度等に優れたものとなる。
【００２１】
ベゼル７は、円環状なす部材で構成されている。ベゼルの下側の部分には、その周方向に沿ったリブ７１が突出形成されている。そして、リブ７１とケース２の第１の拡径部２６との間には、弾性材料で構成されたパッキン８０が圧縮状態で配置されている。これにより、ベゼル７とケース２との間での液密性、気密性が維持される。
ベゼル７の内周部７２には、その内径が縮径した縮径部７３が形成されている。この縮径部７３上にカバーガラス５を載置することができる。なお、ベゼル７の内周部７２とカバーガラス５の外周部５１との間には、パッキン９０が圧縮状態で配置されている。これにより、ベゼル７とカバーガラス５との間での液密性、気密性が維持される。
【００２２】
カバーガラス５は、円板状をなし、透明性を有する部材で構成されている。なお、「透明性を有する部材」とは、可視光の透過度が５０％以上程度の透明性を有するものをいう。また、「透明」には、無色透明の他、有色（着色）透明も含まれる。
カバーガラス５の構成材料としては、特に限定されず、例えば、無機ガラス等が挙げられる。この無機ガラスとしては、例えば、ソーダ石灰ガラス、ホウケイ酸ガラス、ハードレックス（強化無機ガラス）、クリアレックス（無反射処理）、スピネルガラス、サファイアガラス等が挙げられる。無機ガラスは、材料強度（強度）が高いため、例えば加圧や衝撃による変形、割れを少なくすることができ、傷が付きにくく、鏡面性も良くすることができる。これにより、カバーガラス５自体の強度を高く、視認性を良くすることができる。
【００２３】
また、ケース２には、円盤状のムーブメント９が固定されている。図２〜図４に示すように、ムーブメント９は、時針１０１、分針１０２および秒針１０３を回転支持する軸９１と、２４時間針１０４を回転支持する軸（図示せず）と、曜日針１０５を回転支持する軸９３とを有している。軸９１は、ムーブメント９の中心部に配置され、その他の軸（軸９３等）は、それぞれ、軸９１と異なる位置、すなわち、軸９１回りに離間して配置されている。
【００２４】
このムーブメント９は、太陽電池７０から供給された電力によって、時針１０１、分針１０２、秒針１０３をそれぞれ駆動し（回転させ）、さらに、２４時間針１０４および曜日針１０５をそれぞれ駆動する機構を内蔵している。この機構としては、特に限定されず、例えば、太陽電池７０の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えたものを用いることができる。
【００２５】
ムーブメント９上には、円盤状（板状）をなす太陽電池７０が重ねて設置されている。太陽電池７０は、ムーブメント９と電気的に接続されており、光を受光することにより電力を生成し、電力をムーブメント９に供給することができる。太陽電池７０としては、例えば、ｐ型半導体とｎ型半導体とを重ね合わせて接合したものを用いることができる。ｐ型半導体とは、高純度のシリコン半導体にホウ素等のような３価の元素を極微量混入させたものであり、ｎ型半導体とは、高純度のシリコン半導体にヒ素等のような５価の元素を極微量混入させたものである。このような構成の太陽電池７０に光が照射されると、光電効果によりシリコン内部に電子および正孔が発生する。また、ｐ型半導体とｎ型半導体との境界部にあたるｐｎ接合部では、発生した電子および正孔のうち、プラスの電荷をもった正孔はｐ型半導体側へ、マイナスの電荷をもった電子はｎ型半導体側へ分離・誘導される。これにより、各半導体がそれぞれプラスとマイナスとに帯電して、電位差が生じ、よって、電力をムーブメント９に供給することができる。なお、ｐｎ接合部付近は、空乏層となる。
【００２６】
また、太陽電池７０には、ムーブメント９の指針１０を回転支持する軸（軸９１、９３等）に対応する位置に、各軸がそれぞれ挿通する挿通孔７０１が形成されている。
さらに、太陽電池７０上には、文字板６が重ねて配置されている。文字板６は、円板状をなす部材で構成され、全体として光透過性を有している。これにより、表側から光が照射された際に、当該光は、文字板６を透過することができる。この透過した光は、太陽電池７０で受光される。なお、文字板６の構成材料としては、特に限定されず、例えば、ポリカーボネート（ＰＣ）、アクリロニトリル−ブタジエン−スチレン共重合体（ＡＢＳ樹脂）から選択される少なくとも１種を含む材料で構成されたプラスチック材料、その他、ソーダガラスや石英ガラスを用いることができる。
【００２７】
この文字板６には、ムーブメント９の指針１０を回転支持する軸（軸９１、９３等）がそれぞれ挿通する挿通孔６３が形成されている。
文字板６の表側の面には、時針１０１、分針１０２、秒針１０３が指し示して時刻を表示する機能を有する第１の表示部（目盛り）６４が複数配置されている。これらの第１の表示部６４は、文字板６の周方向に沿って間欠的に配置されており、時刻の「１」〜「１２」に相当する。そして、時針１０１、分針１０２および秒針１０３がそれぞれ第１の表示部６４を指す位置によって、時刻を確認することができる。
【００２８】
また、文字板６の表側の面には、第１の表示部６４と異なる部分に、第２の表示部（目盛り）６８が複数配置されている。これら第２の表示部６８には、２４時間針１０４が指し示すことにより時間を確認することができる「１」〜「２４」の数字がある。その他、第２の表示部６８には、曜日針１０５が指し示すことにより曜日を確認することができる「Ｍｏｎ（月）」、「Ｔｕｅ（火）」、「Ｗｅｄ（水）」、「Ｔｈｕ（木）」、「Ｆｒｉ（金）」、「Ｓａｔ（土）」、「Ｓｕｎ（日）」の文字がある。
ケース２の裏側には、裏蓋３が装着される。また、ケース２と裏蓋３との間には、固定部材４が介挿されている。次に、裏蓋３、固定部材４について説明する。
【００２９】
まず、固定部材４について説明する。
固定部材４は、裏蓋３をケース２に対して固定する固定機能を有するものである。固定部材４は、ケース２の内周部２５の周方向に沿った円環状（リング状）をなす部材で構成されている。そして、固定部材４は、ケース２の第２の拡径部２７で構成された固定部材設置部に、予め設置されている、すなわち、裏蓋３がケース２に装着される以前に設置されている。なお、固定部材４の外径は、第２の拡径部２７の内径とほぼ同等に設定されている。これにより、固定部材４は、第２の拡径部２７に嵌合することとなり、よって、第２の拡径部２７に確実に固定される。
【００３０】
固定部材４は、樹脂材料である例えば熱可塑性樹脂で構成され、その熱可塑性樹脂としては、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
このような樹脂材料を用いることにより、固定部材４は、後述するようにケース２と裏蓋３との間で圧縮された場合変形するが、このとき元の形状に戻ろうとする反力が確実に生じて、前記固定機能を発揮することができる。
【００３１】
次に、裏蓋３について説明する。
図２〜図４に示すように、裏蓋３は、円板状をなす本体部３１と、本体部３１の表側の面３１１に突出形成されたリブ（突部）３２と有している。
本体部３１は、裏蓋３がケース２に装着された際に、表側の面３１１がケース２の裏側の面２８に当接する。これにより、裏蓋３の時計１における厚さ方向の位置が規制される。
【００３２】
リブ３２は、本体部３１（裏蓋３）の縁部に沿った円環状（リング状）をなす。これにより、リブ３２がケース２の第２の拡径部２７との間で固定部材４の全体を確実に圧縮、変形させることができ、よって、固定部材４の固定機能をより確実に発揮することができる。
図５〜図７に示すように、リブ３２は、その外径が徐々に増加している。すなわち、リブ３２には、第１のテーパー部３２１と、第１の外径一定部３２２と、第２のテーパー部３２３と、第２の外径一定部３２４とが上方からこの順に形成されている。
【００３３】
第１のテーパー部３２１は、リブ３２の外周部の上部に形成され、その外径が上方に向かって漸減した部分である。
第１の外径一定部３２２は、第１のテーパー部３２１の直下に形成され、その外径が一定の部分である。この第１の外径一定部３２２の外径は、第１のテーパー部３２１の最大外径と同じである。
【００３４】
第２のテーパー部３２３は、第１の外径一定部３２２の直下に形成され、その外径が上方に向かって漸減した部分である。この第２のテーパー部３２３の最小外径は、第１の外径一定部３２２の外径と同じである。
第２の外径一定部３２４は、第２のテーパー部３２３の直下に形成され、その外径が一定の部分である。この第２の外径一定部３２４の外径は、第２のテーパー部３２３の最大外径と同じである。また、第２の外径一定部３２４の外径は、裏蓋３がケース２に装着される以前、すなわち、外力が付与されない自然状態での固定部材４の内径よりも若干（例えば０．３〜１％）大きく設定されている。
【００３５】
そして、裏蓋３をケース２に装着していく過程で、裏蓋３のリブ３２は、第１のテーパー部３２１、第１の外径一定部３２２、第２のテーパー部３２３が順に固定部材４の内周部４１に導かれる（図５、図６参照）。このように、第１のテーパー部３２１、第１の外径一定部３２２、第２のテーパー部３２３は、裏蓋３がケース２に装着される際に、リブ３２を固定部材４の内周部４１へ導くガイド部３４として機能する。
【００３６】
なお、固定部材４の内周部４１の下部には、面取りが施されており、面取り部４２が形成されている。面取り部４２も、裏蓋３をケース２に装着していく過程で、リブ３２を固定部材４の内周部４１へ導くガイド部として機能する。
このようにリブ３２が固定部材４の内周部４１へ導かれるよう構成されていることにより、時計１の組み立て製造時において、裏蓋３をケース２に装着する作業を容易に行なうことができる。
【００３７】
また、第２の外径一定部３２４は、前述したようにその外径が固定部材４の内径よりも若干大きく設定されており、その分だけ固定部材４をケース２の第２の拡径部２７との間で圧縮することができる（図７参照）。このように、第２の外径一定部３２４は、固定部材４を圧縮する圧縮部として機能する。
圧縮された固定部材４は、厚さ方向（図７中の左右方向）に変形する。このとき、固定部材４には、元の形状に戻ろうとする反力が生じる。この反力により、固定部材４と裏蓋３との嵌合力（固定力）が増加して、裏蓋３がケース２に対して確実に固定される。このように、固定部材４は、圧縮、変形することにより、固定機能を発揮することができる。
【００３８】
時計１では、ケース２に設置された固定部材４に裏蓋３のリブ３２を押し込むという簡単な作業で、ケース２に裏蓋３を容易かつ確実に装着することができる。従って、時計１は、組み立て、製造が容易なものであるということができる。
また、前述したように、時計１は、太陽電池７０からの電力によりムーブメント９が駆動するものである。このため、時計１は、従来の時計のような電池交換のために裏蓋３の着脱を繰り返すものとは異なり、一旦装着された裏蓋３を取り外して再度装着する作業を省略することができる。このような時計１には、固定部材４を介して裏蓋３をケース２に固定する構成を好適に用いることができる。
【００３９】
また、ケース２は、例えばセラミックスで構成されている場合、固定部材４よりも硬質のものとなる。しかしながら、セラミックスは、一般的に脆性材料であるため、セラミックスで構成されたケース２に直接的に裏蓋３が係合して装着される構成とした場合、その係合時にケース２にクラック等が生じることがある。
これに対し、時計１では、裏蓋３は、樹脂材料で構成された固定部材４を介してケース２に固定されるよう構成されている。このような構成は、セラミックスでケース２を構成した場合でも、当該ケース２に前記クラック等が生じるのが確実に防止され、好ましい。
また、従来の時計のようなボルトを介してケースと裏蓋とを固定するものは、ボルトのヘッド（ネジ頭）が露出してしまい、審美性に欠ける、すなわち、見栄えがよくない。これに対し、時計１は、ボルトによる固定とはなっていないため、審美性に優れている。
【００４０】
＜第２実施形態＞
図８および図９は、それぞれ、本発明の時計を腕時計に適用した場合の第２実施形態において裏蓋が固定部材を介して時計用ケースに固定されるまでの過程を順に示す断面図である。
以下、これらの図を参照して本発明の時計の第２実施形態について説明するが、前述した実施形態との相違点を中心に説明し、同様の事項はその説明を省略する。
【００４１】
本実施形態は、裏蓋の構成が異なること以外は前記第１実施形態と同様である。
図８、図９に示すように、本実施形態の時計１の裏蓋３Ａでは、本体部３１の表側の面３１１に凹部３５が形成されている。凹部３５は、リブ３２の外周側にその周方向に沿ってリング状に形成されている。そして、固定部材４がリブ３２とケース２の第２の拡径部２７との間で圧縮されて変形した際に、固定部材４の一部、すなわち、固定部材４の変形した分が、凹部３５に入り込む。このように凹部３５は、変形した固定部材４の一部が入り込む「逃げ空間」として機能する。
【００４２】
以上のような凹部３５が形成されていることにより、固定部材４の過剰な変形を防止することができる。また、固定部材４による裏蓋３とケース２との固定力の増加を抑制したい、すなわち、固定部材４による裏蓋３とケース２との固定力を緩和したい場合に有効である。
なお、固定部材４が圧縮されて変形した際に固定部材４の一部が入り込む「凹部」は、本実施形態では裏蓋３Ａに形成さているが、これに限定されず、例えば、ケース２に形成されていてもよいし、ケース２および裏蓋３Ａの双方に形成されていてもよい。
【００４３】
＜第３実施形態＞
図１０は、本発明の時計を腕時計に適用した場合の第３実施形態を示す断面図である。
以下、この図を参照して本発明の時計の第３実施形態について説明するが、前述した実施形態との相違点を中心に説明し、同様の事項はその説明を省略する。
本実施形態は、裏蓋の構成が異なること以外は前記第１実施形態と同様である。
【００４４】
図１０に示すように、本実施形態の時計１の裏蓋３Ｂは、互いに別体で構成された複数の部材で構成されている、すなわち、本体部３１、リブ３２の他に、本体部３１の外周部に配置された枠部材３６をさらに有する。なお、本体部３１とリブ３２とは、一体的に形成されている。本体部３１と別体で構成された枠部材３６は、本体部３１と接合されている。この接合方法としては、特に限定されず、例えば、融着（熱融着、高周波融着、超音波融着等）による方法、接着（接着剤や溶媒による接着）による方法、嵌合による方法等が挙げられる。
【００４５】
本体部３１の外周部には、厚さが段階的に変化した段差部３１２が形成されている。枠部材３６の内周部にも、厚さが段階的に変化した段差部３６１が形成されている。本体部３１と枠部材３６とは、段差部３１２、３６１同士が互いに噛み合うように接合されている。
例えば、時計１が電波受信機能を有する電子時計の場合、裏蓋３Ｂに渦電流が生じることになる。渦電流は、それが生じる部材の体積の大きさに応じて変化する、すなわち、大となったり小となったりする特性がある。このため、渦電流が生じる部材の大きさは、できる限り小さいのが好ましい。
【００４６】
前述したように、裏蓋３Ｂは、それ全体をできる限り分割して複数の部材で構成されたものである。これにより、裏蓋３Ｂの複数箇所で、すなわち、本体部３１と枠部材３６とでそれぞれ渦電流が生じたとしても、各渦電流の大きさは比較的小さいものとなる。
このように前記電子時計のような、渦電流をできる限り抑制したい時計では、複数の部材同士を接合してなる裏蓋３Ｂの構成は、有効となる。
【００４７】
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
また、本発明の時計は、前記各実施形態のうちの、任意の２以上の構成（特徴）を組み合わせたものであってもよい。
また、固定部材および裏蓋の突部は、前記各実施形態では裏蓋が時計用ケースに装着される際に突部を固定部材の内周部へ導くガイド部を有するものであったが、これに限定されず、固定部材および裏蓋の突部のうちの一方がガイド部を有するものであってもよい。
【符号の説明】
【００４８】
１……腕時計（時計）  ２……ケース（時計用ケース）  ２３……外周部  ２４……ラグ  ２５……内周部  ２６……第１の拡径部  ２７……第２の拡径部（拡径部）  ２８……裏側の面  ３、３Ａ、３Ｂ……裏蓋  ３１……本体部  ３１１……表側の面  ３１２……段差部  ３２……リブ（突部）  ３２１……第１のテーパー部  ３２２……第１の外径一定部  ３２３……第２のテーパー部  ３２４……第２の外径一定部  ３３……外周部  ３４……ガイド部  ３５……凹部  ３６……枠部材  ３６１……段差部  ４……固定部材  ４１……内周部  ４２……面取り部  ５……カバーガラス（風防）  ５１……外周部  ６……文字板  ６３……挿通孔  ６４……第１の表示部（目盛り）  ６８……第２の表示部（目盛り）  ７……ベゼル  ７１……リブ  ７２……内周部  ７３……縮径部  ９……ムーブメント  ９１、９３……軸  １０……指針（針）  １０１……時針  １０２……分針  １０３……秒針  １０４……２４時間針（小針）  １０５……曜日針（小針）  １２……りゅうず  ２０……バンド  ５０……内部空間  ７０……太陽電池  ７０１……挿通孔  ８０、９０……パッキン
【図１】
0005906614.tif 000002
【図２】
0005906614.tif 000003
【図３】
0005906614.tif 000004
【図４】
0005906614.tif 000005
【図５】
0005906614.tif 000006
【図６】
0005906614.tif 000007
【図７】
0005906614.tif 000008
【図８】
0005906614.tif 000009
【図９】
0005906614.tif 000010
【図１０】
0005906614.tif 000011